(57)【要約】【課題】簡易な構成で部品点数を減らすことのできる磁気テープカセットのテープ引出口構造を提供する。【解決手段】カセットケース２のテープ引出口３に開閉する扉４を設ける。扉４は、一側縁に設けたヒンジ５でカセットケース２に回動自在に取り付ける。ヒンジ５に隣接したテープ引出口３の開口縁に、開口部材１０の差し込みが可能な差し込み溝７を設け、その奥部に係合段部８を設ける。扉４に、閉扉時は係合段部８に係合することで扉４を閉位置に保持し、且つ、開口部材１０が差し込み溝７に差し込まれたとき、開口部材１０に押されて弾性変形することで係合段部８から外れて扉４の開放を許す可撓ロック突片９を一体に設ける。可撓ロック突片９は、弾性変形して係合段部８から外れたときの復元力が扉４を開く方向に作用するように設ける。可撓ロック突片９に開口部材１０の差し込みを誘導する案内面９Ａを設ける。【選択図】      図３
2004178700.tif 000002
【特許請求の範囲】
【請求項１】
カセットケースの内部に、磁気テープを巻回したリールを回転自在に収容し、前記カセットケースの側壁に設けたテープ引出口から前記磁気テープを引き出すことで、前記磁気テープに対する読み書きを行う磁気テープカセットであって、
前記テープ引出口には、前記カセットケースに回動自在に取り付けられたヒンジを有し、該ヒンジを介して該テープ引出口を開閉する扉が設けられ、
前記テープ引出口の開口縁には、前記扉と係合することで前記扉を閉位置に保持する係合段部を備えた差し込み溝が形成され、
前記扉には、開口部材が前記差し込み溝に差し込まれたとき、前記開口部材によって弾性変形することで前記係合段部から外れて前記扉の開放を許す可撓ロック突片が一体に設けられたことを特徴とする磁気テープカセット。
【発明の詳細な説明】
【０００１】
【発明の属する技術分野】
本発明は、１リール型の磁気テープカセットのテープ引出口構造に関する。
【０００２】
【従来の技術】
コンピュータ等の外部記憶装置に用いられる記録媒体として使用されている磁気テープカセットの種類の中に、単一のリールに磁気テープを巻装したタイプのものがある。この磁気テープカセットは、コンピュータ等のデータバックアップ保存用等として用いられる。一般にこの種のテープカセットは、不用意に磁気テープが外部に引き出されないような構造となっている。この種の磁気テープカセットを開示した先行技術文献としては、以下のようなものが挙げられる。
【０００３】
【特許文献１】
特開平１１−１２０７３２号公報（第２〜４頁、図１，図２）
【０００４】
この種の磁気テープカセットでは、カセットケースの側壁部分に磁気テープを引き出すためのテープ引出口が設けられており、テープ引出口には、開閉可能な扉が設けられている。そして、従来では、この扉をばねで閉位置に付勢しておき、不使用時には回動しないように、ロックバネで付勢されたロック部材で係止している。
【０００５】
この磁気テープカセットを使用する場合には、記録再生装置にカセットをセットする。そうすると、磁気テープカセットのケース底面の中央開口に露出したリールの係止歯に、装置側の回転駆動手段が係合すると共に、装置側のテープ引き出し機構によりテープ引出口の扉が開かれて、磁気テープ先端のリーダーテープがカセットの外部に引き出されて、テープ走行路の所定位置まで引き込まれ、磁気テープへのデータの読み書きが可能になる。
【０００６】
【発明が解決しようとする課題】
ところで、上述の従来の磁気テープカセットでは、テープ引出口を開閉する扉の係止構造にロックバネやロック部材等の多数の部品を使用しているので、構造が複雑で製作コストがアップするという問題があった。
【０００７】
本発明は、上記事情を考慮し、簡易な構成で部品点数を減らすことのできる磁気テープカセットのテープ引出口構造を提供することを目的とする。
【０００８】
【課題を解決するための手段】
請求項１記載の磁気テープカセットは、カセットケースの内部に、磁気テープを巻回したリールを回転自在に収容し、前記カセットケースの側壁に設けたテープ引出口から前記磁気テープを引き出すことで、前記磁気テープに対する読み書きを行う磁気テープカセットであって、
前記テープ引出口には、前記カセットケースに回動自在に取り付けられたヒンジを有し、該ヒンジを介して該テープ引出口を開閉する扉が設けられ、
前記テープ引出口の開口縁には、前記扉と係合することで前記扉を閉位置に保持する係合段部を備えた差し込み溝が形成され、
前記扉には、開口部材が前記差し込み溝に差し込まれたとき、前記開口部材によって弾性変形することで前記係合段部から外れて前記扉の開放を許す可撓ロック突片が一体に設けられている。
【０００９】
このテープ引出口構造では、扉が閉位置にあるときには、可撓ロック突片が係合段部に係合しているので、閉状態でロックがかかっており、簡単には扉が開かない。従って、カセット内への異物の進入を防止することができると共に、むやみに扉が開いて中の磁気テープが外に出てしまうようなことがない。また、カセットの使用時には、例えば、ドライブ装置側に設けた開口部材が差し込み溝に差し込まれることで、可撓ロック突片が弾性変形させられて係合段部から外され、ロック状態が解除されて扉が開放可能となる。このテープ引出口構造では、扉に一体的に設けた可撓ロック突片によって扉を閉位置に係止するようにしているので、余計な部品が要らず構成が簡単であり、低コスト化を図ることができる。
【００１０】
また、磁気テープカセットは、前記可撓ロック突片は、該可撓ロック突片が弾性変形して前記係合段部から外れたときの復元力が前記扉を開く方向に作用するように設けられている。
【００１１】
このテープ引出口構造では、係合段部から可撓ロック突片が外れた際に、可撓ロック突片の弾性復元力によって扉が開方向に押されることになる。従って、一旦ロックが外れると、可撓ロック突片の助勢を得て扉が開きやすくなる。
【００１２】
また、磁気テープカセットは、前記可撓ロック突片には、前記差し込み溝に対する開口部材の差し込みを誘導する案内面が設けられている。
【００１３】
このテープ引出口構造では、可撓ロック突片の案内面に沿って開口部材を差し込むことで、スムーズに可撓ロック突片の係合を解除することができる。
【００１４】
【発明の実施の形態】
以下、本発明の実施形態を図面に基づいて説明する。図１は本実施形態の磁気テープカセットの外観斜視図、図２は磁気テープカセットのテープ引出口構造を上から見た断面図である。
【００１５】
図１に示すように、この磁気テープカセット１は、所定高さの四角い箱形の樹脂製のカセットケース２の内部に、磁気テープを巻回したリール（図示せず）を回転自在に収容し、カセットケース２の角部側壁に設けた矩形のテープ引出口３から磁気テープを引き出すことで、磁気テープに対する読み書きを行うものである。カセットケース２は、上ケース２Ａと下ケース２Ｂを組み合わせて構成されており、前記テープ引出口３は、上ケース２Ａと下ケース２Ｂの各矩形の切欠を合わせることで形成されている。図示しないリールは、磁気テープが巻き付けられるボス部とその両端のフランジとを有するもので、リールの底面の中央部が、下ケース２Ｂの底壁中央の開口２Ｃから外部に露出しており、その露出面には、ドライブ装置側の駆動軸と噛み合う係合歯が形成されている。
【００１６】
カセットケース２の角部に形成された矩形のテープ引出口３には、該テープ引出口３を開閉する矩形板により構成された樹脂製の扉４が設けられている。この扉４は、図２（ａ）及び図２（ｂ）に示すように、扉４の正面から見た際に左側縁寄りの位置に設けたヒンジ５で、カセットケース２に回動自在に取り付けられている。ヒンジ５は、扉４の上下端に突設したピン５Ａをカセットケース２側の小孔５Ｂに差し込むことで構成されている。このヒンジ５で扉４を取り付けることにより、扉４は右端側がヒンジ５を支点にして手前に開くようになっている。
【００１７】
テープ引出口３の右端側の開口縁には、扉４の右端縁が嵌まることで、それ以上内側に扉４が回らないように規制する切欠６が設けられている。また、ヒンジ５に隣接した左端側の開口縁には、外部正面から細幅の開口部材１０の差し込みが可能な差し込み溝７が設けられており、この差し込み溝７の奥部には係合段部８が設けられている。
【００１８】
一方、扉４の左端部の裏面には、上下に離間させて２つの可撓ロック突片９が突設されている。これら可撓ロック突片９は、扉４と一体に成形されており、閉扉時は、係合段部８に係合することで扉４を閉位置に保持し、開口部材１０が差し込み溝７に差し込まれたとき、開口部材１０に押されて弾性変形することで、係合段部８から外れて扉４の開放を許すようになっている。即ち、扉４の裏面に設けた可撓ロック突片９は、図２（ｂ）に示すように、閉扉時は係合段部８と係合しており、そのままでは扉４が開かない。
【００１９】
可撓ロック突片９は、扉４の板面に対して斜め後方に突き出した形で設けられており、差し込み溝７に斜め方向から挿入されている。そして、扉４を開こうとしたとき、その先端面が差し込み溝７の奥の係合段部８に突き当たることで、扉４を閉位置に係止するようになっている。可撓ロック突片９は、差し込み溝７に対して斜め方向から挿入されていることで、その外面が、開口部材１０を差し込み溝７に差し込むときの動作を案内する斜めの案内面９Ａとなっている。また、この可撓ロック突片９は、後述するように、開口部材１０に押されることにより弾性変形させられて係合段部８から外れたときに、その復元力が扉４を開く方向に作用するように構成されている。
【００２０】
次に図３、図４を参照しながら作用を説明する。
この磁気テープカセット１では、図３（ａ）に示すように、扉４が閉位置にあるときには、可撓ロック突片９が係合段部８に係合しているので、閉状態でロックがかかっており、簡単には扉４が開かない。従って、カセット１内への異物の進入を防止することができると共に、むやみに扉４が開いて中の磁気テープが外に出てしまうようなことがない。
【００２１】
また、カセット１の使用時には、図３（ｂ）に示すように、例えば、ドライブ装置側に設けた開口部材１０が差し込み溝７に差し込まれることで、可撓ロック突片９が弾性変形させられて係合段部８から外され、ロック状態が解除されて扉４が開放可能となる。従ってその後は、ドライブ装置は、図４に示すように扉４を開いて、テープ引出口３の内部近傍に配されたテープ先端部をカセット１の外に引き出し、ドライブ側に設けたリールに止めて、リールの回転に従いデータの読み書きを行う。
【００２２】
ここで、図３（ｂ）のように可撓ロック突片９が弾性変形させられて係合段部８から外れた瞬間、可撓ロック突片９の弾性復元力によって、扉４が開方向に押されることになる。従って、一旦ロックが外れると、可撓ロック突片９の助勢を得て扉４が開きやすくなる。また、可撓ロック突片９の外面が案内面９Ａとなっていることで、案内面９Ａに案内されながら開口部材１０を差し込み溝７に差し込むことができるので、スムーズに可撓ロック突片９のロックを解除することができる。
【００２３】
また、この磁気テープカセット１では、扉４に一体的に設けた可撓ロック突片９によって扉４を閉位置に係止するようにしているので、余計な部品が要らず構成が簡単であり、低コスト化を図ることができる。
【００２４】
【発明の効果】
以上、本発明によれば、テープ引出口を開閉する扉に可撓ロック突片を一体に設け、この可撓ロック突片が開口部材の差し込み溝の奥部に設けた係合段部に係合することで、扉を閉位置に係止するようにしたので、扉をロックしておくための余計な部品、例えば、扉と別の部品としてのロック部材やロックバネ等が要らず、構成が簡単となり、コストダウンが図れる。
【００２５】
また、本発明によれば、可撓ロック突片が弾性変形して係合段部から外れたときの復元力が扉を開く方向に作用するようにしてあるので、一旦開口部材を差し込み溝に差し込んで、ロック（係合段部に対する可撓ロック突片の係合）を外しさえすれば、可撓ロック突片の助勢を得て簡単に扉が開くことになる。
【００２６】
また、本発明によれば、可撓ロック突片に開口部材の差し込みを誘導する案内面を設けてあるので、可撓ロック突片の案内面に沿って開口部材を差し込むことにより、スムーズに可撓ロック突片の係合を解除することができる。
【図面の簡単な説明】
【図１】本発明の実施形態のテープ引出口構造を含む磁気テープカセットの外観斜視図である。
【図２】前記テープ引出口構造の上から見た断面図で、（ａ）は完全に扉が閉じた状態を示す図、（ｂ）は扉を開こうとしてロックがかかったことを示す図である。
【図３】前記テープ引出口構造の作用説明のための断面図で、（ａ）は扉が閉じてロックがかかっている状態を示す図、（ｂ）は開口部材を差し込み溝に差し込んで可撓ロック突片を弾性変形させている状態を示す図である。
【図４】前記テープ引出口構造の作用説明のための断面図で、扉が開いた状態を示す図である。
【符号の説明】
１  磁気テープカセット
２  カセットケース
３  テープ引出口
４  扉
５  ヒンジ
７  差し込み溝
８  係合段部
９  可撓ロック突片
９Ａ  案内面
【図１】
2004178700.tif 000003
【図２】
2004178700.tif 000004
【図３】
2004178700.tif 000005
【図４】
2004178700.tif 000006